(57)【特許請求の範囲】
【請求項１】
建物内に設置された空調用ダクトに設置されるダンパと、前記ダンパの羽根の開閉機構を有する開閉器と、前記開閉機構を制御する制御部と、前記制御部を介して少なくとも前記開閉機構を制御する機能を有する防災盤と、を備え、前記制御部と前記防災盤との間で無線信号の送受信を行う無線通信手段を設け、前記防災盤から前記無線通信手段を介して前記制御部へ送信される羽根閉鎖信号に基づいて前記ダンパの羽根を閉鎖する機能を前記制御部に設け、
火災発生時の熱により前記空調用ダクト内の温度が設定値まで上昇すると、それを感知して前記制御部へ羽根強制閉鎖信号を送信する熱感知手段を前記ダンパに設け、
前記防災盤から前記無線通信手段を介して前記制御部に送信される点検信号に基づいて前記熱感知手段を作動させる加熱手段を前記ダンパに設け、
前記防災盤から前記無線通信手段を介して前記制御部へ復帰信号を送信すると前記ダンパの羽根を開放して平常状態に戻す復帰手段であるモータを前記開閉器に設けた防災設備。
【請求項２】
前記ダンパの羽根が閉鎖したときに前記制御部から前記無線通信手段を介して前記防災盤へ閉鎖表示信号を送信する機能を設けた請求項１記載の防災設備。
【請求項３】
火災発生時の熱により前記空調用ダクト内の温度が設定値まで上昇すると、それを感知して前記開閉器の羽根閉鎖機能を作動させる感熱アクチュエータを前記ダンパに設けた請求項１または２記載の防災設備。
【請求項４】
前記感熱アクチュエータが、ハンダヒューズ、ＳＭＡヒューズ若しくはバイメタルのいずれかである請求項３記載の防災設備。
【請求項５】
前記開閉器に前記ダンパの羽根を開閉する機能を有するステッピングモータを設けた請求項１または２記載の防災設備。
【請求項６】
火災時に発生する煙を感知する煙感知器から送信される煙感知信号に基づいて前記防災盤から前記無線通信手段を介して前記制御部へ羽根閉鎖信号を送信する機能を前記防災盤に設けた請求項１〜５のいずれかに記載の防災設備。
【請求項７】
前記無線通信手段を介して前記制御部を作動させる無線式検査ツールとの信号の送受信を行うための通信インターフェースを前記無線通信手段に設けた請求項１〜６のいずれかに記載の防災設備。
【請求項８】
前記制御部、前記無線通信手段、前記加熱手段、前記モータ、前記ステッピングモータのうちの１以上に給電する蓄電池と、前記蓄電池を充電する充電手段と、を設けた請求項１〜７のいずれかに記載の防災設備。
【請求項９】
前記充電手段として、前記空調用ダクト内を流動する空気流によって発電する発電機をダンパに設けた請求項８記載の防災設備。
【発明の詳細な説明】
【技術分野】
【０００１】
本発明は、各種建築物において火災が発生したときの被害拡大を防止するために設置される防災設備に関する。
【背景技術】
【０００２】
火災が発生したときの被害拡大を防止するため、各種建築物には様々な防災設備が設置されている。本発明に関連する従来の防災設備として、例えば、図１１に示す防災設備６００がある。図１１に示すように、防災設備６００は、空調用ダクトなどの気体流路の途中に設置されるダンパ６０１と、ダンパ６０１に内蔵された羽根６０２の開閉機構を有する開閉器６０３と、開閉機構を制御する制御部６０４と、気体流路内の温度が設定値に達すると溶断して開閉器６０３の羽根閉鎖機能を作動させるヒューズ６０５と、制御部６０４を介して少なくとも羽根６０２の開閉機構を制御する機能を有する防災盤６０６と、制御部６０４と防災盤６０６との間で信号の送受信を行う複数の電線６０７と、を備えている。
【０００３】
開閉器６０３は、閉鎖方向に付勢された羽根６０２を開放状態に保持するためのロック機構６０８、防災盤６０６から送信された煙感知信号に基づいてロック機構６０８を解除する機能を有するソレノイド６０９、防災盤６０６から送信される復帰信号に基づいて羽根６０２を開状態に戻すモータ７００、防災盤６０６との間の電線６０７を接続するための端子台７０１などを備えている。開閉器６０３の制御部６０４は、建築物内のその他の場所に同様に配置されている他のダンパ６０１及び開閉器６０３の制御部（図示せず）と電気的に接続されている。
【０００４】
また、図１１に示す防災設備６００は、火災時に発生する煙を感知して防災盤６０６へ煙感知信号を送信する煙感知器７０２と、非常事態が発生したときに防災設備６００を作動させる非常用電源７０３を備えている。防災設備６００において、所定場所に設置された煙感知器７０２が煙を感知すると煙感知信号が防災盤６０６へ送信され、防災盤６０６から制御部６０４へ送信される作動信号によりダンパ６０１の羽根６０２が瞬時に閉鎖される。
【０００５】
図１１に示す防災設備６００を構成するダンパ６０１と類似する機能を有するものとして、例えば、特許文献１に記載されている「防火ダンパ」あるいは特許文献２に記載されている「検査口付きダンパ開閉器」などがある。これらのダンパは、空調用ダクト内に配置された半田ヒューズが火災発生時のダクト内の温度上昇を感知して作動（溶断）することにより、羽根を瞬時に閉鎖する機能を有している。
【先行技術文献】
【特許文献】
【０００６】
【特許文献１】実公平０４−４８４４７号公報
【特許文献２】実公平０３−５６８５０号公報
【発明の概要】
【発明が解決しようとする課題】
【０００７】
図１１に示す防災設備６００においては、ダンパ６０１の開閉器６０３と防災盤６０６との間の信号の送受信あるいは電気の供給などは複数の電線６０７を介して行われるので、建築物に防災設備６００を設置する場合、これらの電線６０７の配線作業に手間を要するだけでなく、電線６０７の配線スペースも確保しなければならないので、設置工事が煩雑である。大型の建築物においては多数のダンパ６０１が設置されているので、全てのダンパ６０１と防災盤６０６との間に電線６０７を配線するためには、大量の電線資材を必要とし、配線作業に要する労力と時間も膨大なものとなっている。
【０００８】
また、図１１に示す防災設備６００を構成するダンパ６０１及び開閉器６０３などの防災機器は、建築基準法上、建築物に設置した後の定期点検が義務化されている。防災設備６００に対して、このような定期点検を行う場合、点検作業者がダンパ６０１の設置場所まで出向いて行わなければないので、点検作業に労力と時間とを要している。大型の建築物においては多数のダンパ６０１が設置されているので、前述と同様、点検作業には膨大な労力と時間が費やされている。
【０００９】
このような問題は特許文献１記載の「防火ダンパ」あるいは特許文献２記載の「検査口付きダンパ開閉器」などにおいても同様に発生している。
【００１０】
そこで、本発明が解決しようとする課題は、設置工事が容易な防災設備を提供することにある。
【課題を解決するための手段】
【００１１】
本発明の防災設備は、建物内に設置された空調用ダクトに設置されるダンパと、前記ダンパの羽根の開閉機構を有する開閉器と、前記開閉機構を制御する制御部と、前記制御部を介して少なくとも前記開閉機構を制御する機能を有する防災盤と、を備え、前記制御部と前記防災盤との間で無線信号の送受信を行う無線通信手段を設け、前記防災盤から前記無線通信手段を介して前記制御部へ送信される羽根閉鎖信号に基づいて前記ダンパの羽根を閉鎖する機能を前記制御部に設け、
火災発生時の熱により前記空調用ダクト内の温度が設定値まで上昇すると、それを感知して前記制御部へ羽根強制閉鎖信号を送信する熱感知手段を前記ダンパに設け、
前記防災盤から前記無線通信手段を介して前記制御部に送信される点検信号に基づいて前記熱感知手段を作動させる加熱手段を前記ダンパに設け、
前記防災盤から前記無線通信手段を介して前記制御部へ復帰信号を送信すると前記ダンパの羽根を開放して平常状態に戻す復帰手段であるモータを前記開閉器に設けたことを特徴とする。
【００１２】
このような構成とすれば、ダンパの開閉器の制御部と防災盤との間で信号の送受信を行うための電気配線が不要となるので、設置工事が容易となる。なお、復帰機能付のダンパを採用した場合は、防災盤から制御部へ羽根復帰信号を送り、羽根復帰信号を受けた制御部がダンパの羽根を開放状態とすることができる。
【００１３】
ここで、前記ダンパの羽根が閉鎖したときに前記制御部から前記無線通信手段を介して前記防災盤へ閉鎖表示信号を送信する機能を設けることが望ましい。
【００１４】
このような構成とすれば、羽根が閉鎖したとき、それを知らせる閉鎖表示信号が制御部から防災盤へ送信され、羽根が閉鎖したことを防災盤で確認することができる。なお、復帰機能付のダンパを採用した場合は羽根復帰信号を受けて羽根を開放状態とすることができる。
【００１５】
また、本発明の防災設備においては、火災発生時の熱により前記空調用ダクト内の温度が設定値まで上昇すると、それを感知して前記制御部へ羽根強制閉鎖信号を送信する熱感知手段を前記ダンパに設けている。
【００１６】
一方、火災発生時の熱により前記空調用ダクト内の温度が設定値まで上昇すると、それを感知して前記開閉器の羽根閉鎖機能を作動させる感熱アクチュエータを前記ダンパに設けることもできる。
【００１７】
この場合、前記感熱アクチュエータは、ハンダヒューズ、ＳＭＡヒューズ若しくはバイメタルのいずれかを用いることができる。
【００１８】
また、前記開閉器に前記ダンパの羽根を開閉する機能を有するステッピングモータを設けることもできる。
【００１９】
さらに、本発明の防災設備においては、前記防災盤から前記無線通信手段を介して前記制御部に送信される点検信号に基づいて前記熱感知手段を作動させる加熱手段を前記ダンパに設けている。
【００２０】
このような構成とすれば、防災盤から制御部へ無線で点検信号を送って加熱手段を作動させることにより、火災発生時のダクト内の温度上昇を模擬的に再現し、熱感知手段、感熱アクチュエータ（ハンダヒューズ、ＳＭＡヒューズ、バイメタル）を作動させ、羽根のロック機構を解除して（若しくはステッピングモータに作動信号を送って羽根を回転させて）、羽根を閉鎖することができる。また、羽根が閉鎖したときは、それを知らせる表示信号が制御部から防災盤へ送信され、羽根が閉鎖したことを防災盤にて確認することができるので、点検作業の負担を軽減することができる。
【００２１】
また、本発明の防災設備においては、前記防災盤から前記無線通信手段を介して前記制御部へ復帰信号を送信すると前記ダンパの羽根を開放して平常状態に戻す復帰手段であるモータを前記開閉器に設けている。
【００２２】
このような構成とすれば、防災盤から制御部へ無線で復帰信号を送信することにより、点検などの際に閉鎖されたダンパの羽根を開いて平常状態に戻すことができるので、点検作業の負担軽減に有効である。
【００２３】
また、火災時に発生する煙を感知する煙感知器から送信される煙感知信号に基づいて前記防災盤から前記無線通信手段を介して前記制御部へ羽根閉鎖信号を送信する機能を前記防災盤に設けることもできる。
【００２４】
このような構成とすれば、火災発生時の煙を感知した煙感知器から防災盤を経由して制御部へ無線送信される羽根閉鎖信号によりダンパの羽根が閉鎖されるので、防災機能が向上する。
【００２５】
一方、前記無線通信手段を介して前記制御部を作動させる無線式検査ツールとの信号の送受信を行うための通信インターフェースを前記無線通信手段に設けることもできる。
【００２６】
このような構成とすれば、防災盤側から無線信号送信のみならず、無線式検査ツールからの無線信号送信により、当該防災設備の点検作業を行うことが可能となるので、点検作業の負担軽減に有効である。
【００２７】
さらに、前記制御部、前記無線通信手段、前記加熱手段、前記モータ、前記ステッピングモータのうちの１以上に給電する蓄電池と、前記蓄電池を充電する充電手段と、を設けることもできる。
【００２８】
このような構成とすれば、停電などにより、常用電源が使用不能となった場合でも防災設備の機能を確保することができる。
【００２９】
この場合、前記充電手段として、前記空調用ダクト内を流動する空気流によって発電する発電機を前記ダンパに設けることもできる。
【００３０】
このような構成とすれば、当該防災設備を稼働させるために必要な、常用電源からの電気使用量を削減することができる。
【発明の効果】
【００３１】
本発明により、設置工事が容易な防災設備を提供することができる。
【図面の簡単な説明】
【００３２】
【図１】本発明の実施形態である防災設備を示すブロック図である。
【図２】図１に示す防災設備の動作説明ブロック図である。
【図３】図１に示す防災設備の動作説明ブロック図である。
【図４】図１に示す防災設備の動作説明ブロック図である。
【図５】図１に示す防災設備の点検工程を示すブロック図である。
【図６】図１に示す防災設備の点検工程を示すブロック図である。
【図７】その他の実施形態である防災設備を示すブロック図である。
【図８】その他の実施形態である防災設備を示すブロック図である。
【図９】その他の実施形態である防災設備を示すブロック図である。
【図１０】その他の実施形態である防災設備を示すブロック図である。
【図１１】従来の防災設備を示すブロック図である。
【発明を実施するための形態】
【００３３】
以下、図１〜図６に基づいて、本発明の実施形態である防災設備１００について説明する。図１に示すように、本実施形態の防災設備１００は、建物内に設置された空調用ダクトに設置されるダンパ１０１と、ダンパ１０１の羽根１０２の駆動部１０３を有する開閉器１０４と、駆動部１０３を制御する制御部１０５と、制御部１０５を介して少なくとも駆動部１０３を制御する機能を有する防災盤１５０と、を備えている。
【００３４】
開閉器１０４の近傍には、制御部１０５と防災盤１５０との間で無線信号の送受信を行うための無線通信手段である通信ユニット１３０が配置され、通信ユニット１３０内に送受信部１３１が設けられている。制御部１０５には、防災盤１５０から通信ユニット１３０を介して制御部１０５へ送信される羽根閉鎖信号に基づいてダンパ１０１の羽根１０２を閉鎖する機能が設けられている。
【００３５】
また、火災発生時の熱により空調用ダクト内の温度が設定値まで上昇すると、それを感知して制御部１０５へ羽根強制閉鎖信号を送信する熱感知手段であるサーミスタなどの温度センサ１０６がダンパ１０１内に設けられている。また、ダンパ１０１の羽根１０２が閉鎖したときに、それを感知して制御部１０５から通信ユニット１３０を介して防災盤１５０へ閉鎖表示信号を送信する機能が設けられている。
【００３６】
また、火災時に発生する煙を感知する煙感知器１５１から送信される煙感知信号に基づいて、防災盤１５０から通信ユニット１３０を介して制御部１０５へ羽根閉鎖信号を送信する機能が防災盤１５０に設けられている。
【００３７】
さらに、防災盤１５０から通信ユニット１３０を介して制御部１０５に送信される点検信号に基づいて温度センサ１０６を作動させる加熱手段であるヒータ１０８がダンパ１０１内に設けられている。
【００３８】
一方、防災盤１５０から通信ユニット１３０を介して制御部１０５へ復帰信号を送信すると、閉鎖状態にあるダンパ１０１の羽根１０２を開放して平常状態に戻すための復帰手段であるモータ１０７が開閉器１０４に設けられている。
【００３９】
また、通信ユニット１３０を介して制御部１０５を作動させる無線式の検査ツール１４０との信号の送受信を行うための通信インターフェースが通信ユニット１３０の送受信部１３１に設けられている。通信ユニット１３０は、他のダンパ１０１ａ及び開閉器１０４ａとの間で無線信号を送受信する機能も有している。
【００４０】
制御部１０５、通信ユニット１２０、ヒータ１０８、モータ１０７及びソレノイド１１１などに給電するための電源として蓄電池（バッテリ）１０９が設けられている。また、バッテリ１０９の充電手段として、常用電源１２０からの給電で稼働する充電器１１０と、空調用ダクト内を流動する空気流によって発電する風力式の発電機１１２が設けられている。バッテリ１０９には、その残留電気容量を目視確認できる残量表示部（図示せず）が設けられている。
【００４１】
また、停電時あるいはバッテリ１０９の電気残量がゼロのときなどの非常時に火災が発生した場合にソレノイド１１１を作動させてロック機構１１３を解除して、ダンパ１０１の羽根１０２を閉鎖するための非常用電源１２１が設けられている。
【００４２】
ここで、図２に基づいて、ダンパ１０１の温度センサ１０６が火災発生を感知したときの防災設備１００の動作について説明する。図２に示すように、火災が発生し、建物内に設置された空調用ダクト内の温度が設定値（例えば、７２℃〜１２０℃，１８０℃など予め設定された温度）まで上昇すると、それを温度センサ１０６が感知し、制御部１０５へ温度上昇信号が送信される。温度上昇信号を受けた制御部１０５はバッテリ１０９へ作動信号（「羽根閉鎖信号」）を送信し、バッテリ１０９からソレノイド１１１へ作動電圧が供給される。作動電圧が供給されたソレノイド１１１は直ちに作動してロック機構１１３を解除するので、ダンパ１０１内の羽根１０２はスプリング（図示せず）の付勢力により瞬時に閉鎖する。
【００４３】
ダンパ１０１内の羽根１０２の閉鎖が完了すると、制御部１０５から通信ユニット１３０の送受信部１３１を介して防災盤１５０へ「閉鎖表示信号」が無線送信され、防災盤１５０上に設けられた「作動表示灯」（図示せず）が点灯する。また、前記動作と同時に、通信ユニット１３０から他のダンパ１０１ａ（通常、複数設置されていることが多い。）の無線ユニット（図示せず）に対し、順送りで作動信号「羽根閉鎖信号」が送信されるので、他のダンパ１０１ａの羽根（図示せず）も順次閉鎖する。
【００４４】
次に、図３に基づいて、煙感知器１５１が火災発生を感知したときの防災設備１００の動作について説明する。図３に示すように、火災が発生し、建物内に設置された煙感知器１５１が煙を感知すると、煙感知器１５１から防災盤１５０へ煙感知信号が送信され、煙感知信号を受信した防災盤１５０からダンパ１０１側の通信ユニット１３０に向けて作動信号（「羽根閉鎖信号」）が無線送信される。
【００４５】
作動信号（「羽根閉鎖信号」）を受信した通信ユニット１３０の送受信部１３１は、当該「羽根閉鎖信号」を制御部１０５へ送信する。「羽根閉鎖信号」を受信した制御部１０５はバッテリ１０９へ作動信号（「羽根閉鎖信号」）を送信し、バッテリ１０９からソレノイド１１１へ作動電圧が供給される。作動電圧が供給されたソレノイド１１１は直ちに作動してロック機構１１３を解除するので、ダンパ１０１内の羽根１０２はスプリング（図示せず）の付勢力により瞬時に閉鎖する。
【００４６】
ダンパ１０１内の羽根１０２の閉鎖が完了すると、制御部１０５から通信ユニット１３０の送受信部１３１を介して防災盤１５０へ「閉鎖表示信号」が無線送信され、防災盤１５０上に設けられた「作動表示灯」（図示せず）が点灯する。また、前記動作と同時に、通信ユニット１３０から他のダンパ１０１ａに対し、順送りで作動信号「羽根閉鎖信号」が送信されるので、他のダンパ１０１ａも順次閉鎖する。なお、他のダンパ１０１ａに対する作動信号「羽根閉鎖信号」の送信は、防災盤１５０から他のダンパ１０１ａの通信ユニット（図示せず）に向かって無線送信する構成とすることもできる。
【００４７】
次に、図４に基づいて、火災発生時に作動して閉鎖状態となった防災設備１００のダンパ１０１の羽根１０２を開放して平常状態に戻す復帰動作について説明する。図４に示すように、防災盤１５０からダンパ１０１の通信ユニット１３０に対して「復帰信号」を無線送信すると、「復帰信号」を受信した通信ユニット１３０の送受信部１３１から制御部１０５へ「復帰信号」が送信される。
【００４８】
「復帰信号」を受信した制御部１０５はバッテリ１０９へ作動信号を送信し、この作動信号によりバッテリ１０９はモータ１０７へ復帰電圧を供給し、モータ１０７が回転して羽根１０２を開放していき、やがて羽根１０２は全開状態（平常状態）に復帰する。
【００４９】
羽根１０２が全開状態（平常状態）に復帰すると、制御部１０５から通信ユニット１３０へ「復帰完了信号」が送信され、この「復帰完了信号」は送受信部１３１から防災盤１５０に向かって無線送信される。防災盤１５０が「復帰完了信号」を受信すると、防災盤１５０上の「作動表示灯」が消灯するので、ダンパ１０１の羽根１０２が全開状態（平常状態）に復帰したことを目視確認することができる。
【００５０】
また、防災盤１５０から送信される「復帰信号」は他のダンパ１０１ａに対しても無線送信されるので、他のダンパ１０１ａも順次、全開状態（平常状態）に復帰し、復帰後は「復帰完了信号」が防災盤１５０へ無線送信され、防災盤１５０上の、ダンパ１０１ａに関連する「作動表示灯」が消灯するので、ダンパ１０１ａの羽根が全開状態（平常状態）に復帰したことを目視確認することができる。
【００５１】
次に、図５に基づいて、防災設備１００の点検方法（温度センサ１０６が熱を感知して羽根１０２が確実に閉鎖することを確認するための点検方法）について説明する。図５に示すように、検査員（図示せず）が検査ツール１４０を操作して、検査ツール１４０からダンパ１０１の通信ユニット１３０へ「点検信号」を無線送信すると、この「点検信号」は通信ユニット１３０の送受信部１３１から制御部１０５へ送信される。「点検信号」を受信した制御部１０５はヒータ１０８に対して「加熱信号」を送信し、これによってヒータ１０８が発熱し、温度センサ１０６を加熱する。
【００５２】
ヒータ１０８の発熱により温度センサ１０６の温度が所定値（予め設定された作動温度）まで上昇したことを感知すると、温度センサ１０６から制御部１０５へ「温度上昇信号」が送信される。
【００５３】
「温度上昇信号」を受信した制御部１０５はバッテリ１０９へ「作動信号」を送信し、これによってバッテリ１０９からソレノイド１１１へ作動電圧が供給され、ソレノイド１１１が作動してロック機構１１３が解除されるので、ダンパ１０１の羽根１０２が付勢力により瞬時に閉鎖する。
【００５４】
羽根１０２の閉鎖が完了すると、制御部１０５から通信ユニット１３０の送受信部１３１に対して「作動完了信号」が送信され、通信ユニット１３０は検査ツール１４０に向かって「作動完了信号」を無線送信するので、作業員は検査ツール１４０を目視して「作動完了」したことを確認することができる。
【００５５】
次に、図６に基づいて、防災設備１００の点検作業によって閉鎖状態となったダンパ１０１の羽根１０２を全開状態（平常状態）に戻すための復帰方法について説明する。図６に示すように、検査ツール１４０から通信ユニット１３０に向かって「復帰信号」を無線送信すると、「復帰信号」を受信した通信ユニット１３０の送受信部１３１は制御部１０５に対して「復帰信号」を送信する。
【００５６】
「復帰信号」を受信した制御部１０５はバッテリ１０９へ「復帰信号」を送信し、「復帰信号」を受信したバッテリ１０９はモータ１０７へ復帰電圧を供給する。復帰電圧が供給されたモータ１０７は、閉鎖状態にある羽根１０２を開放方向へ回転させるので、羽根１０２は全開状態（平常状態）に復帰する。
【００５７】
羽根１０２が全開状態（平常状態）に復帰すると、制御部１０５から通信ユニット１３０へ「復帰完了信号」が送信され、通信ユニット１３０の送受信部１３１から検査ツール１４０へ「復帰完了信号」が無線送信されるので、作業員は検査ツール１４０を目視して「復帰完了」したことを確認することができる。
【００５８】
本実施形態の防災設備１００は、ダンパ１０１の開閉器１０４の制御部１０５と防災盤１５０との間で無線信号の送受信を行うための通信ユニット１３０を備えているので、有線信号の送受信を行うための電気配線が不要であり、設置工事が容易である。また、ダンパ１０１の点検を行う場合、検査ツール１４０あるいは防災盤１５０から通信ユニット１３０を介して、制御部１０５へ「羽根閉鎖信号」を送って駆動部１０３を作動させることにより、ダンパ１０１の羽根１０２を閉鎖することができるので、点検作業の負担を軽減することができる。
【００５９】
また、ダンパ１０１の駆動部１０３はモータ１０７を用いた復帰機能を有しているので、防災盤１５０から制御部１０５へ「羽根復帰信号」を送ることにより、「羽根復帰信号」を受けた制御部１０５がバッテリ１０９の電力でモータ１０７を作動させ、ダンパ１０１の羽根１０２を開放状態（平常状態）復帰させることができ、点検作業の負担を軽減することができる。
【００６０】
防災設備１００においては、ダンパ１０１の羽根１０２が閉鎖したときに、それを知らせる「閉鎖表示信号」が制御部１０５から通信ユニット１３０を介して防災盤１５０へ無線送信され、羽根１０２が閉鎖したことを防災盤１５０で確認することができるので、点検作業の負担を軽減することができる。
【００６１】
防災設備１００においては、防災盤１５０から通信ユニット１３０を介して制御部１０５に送信される「点検信号」に基づいて熱感知手段（温度センサ１０６）を作動させる加熱手段（ヒータ１０８）がダンパ１０１に設けられている。このため、防災盤１５０から制御部１０５へ無線で「点検信号」を送ることにより、ヒータ１０８で加熱された温度センサ１０６が作動し、駆動部１０３のモータ１０７がダンパ１０１の羽根１０２を閉鎖するとともに、羽根１０２が閉鎖したことを知らせる「表示信号」が制御部１０５通信ユニット１３０を介して防災盤１５０へ送信され、羽根１０２が閉鎖したことを防災盤１５０にて確認することができるので、点検作業の負担軽減に有効である。
【００６２】
防災設備１００には、火災時に発生する煙を感知する煙感知器１５１から送信される煙感知信号に基づいて防災盤１５０から無線通信手段（通信ユニット１３０）を介して制御部１０５へ「羽根閉鎖信号」を送信する機能が設けられている。このため、火災発生時の煙を感知した煙感知器１５１から防災盤１５０を経由して制御部１０５へ自動的に無線送信される「羽根閉鎖信号」によりダンパ１０１の羽根１０２が閉鎖されるので、優れた防災機能を発揮する。
【００６３】
また、防災設備１００においては、通信ユニット１３０を介して制御部１０５を作動させる無線式の検査ツール１４０との信号の送受信を行うための通信インターフェースが通信ユニット１３０に設けられている。このため、防災盤１５０側からの無線信号送信のみならず、検査ツール１４０からの無線信号送信により、防災設備１００の点検作業を行うことが可能であり、点検作業の負担軽減に有効である。
【００６４】
さらに、防災設備１００は、制御部１０５、ソレノイド１１１、通信ユニット１３０、ヒータ１０８及びモータ１０７などに給電する蓄電池（バッテリ１０９）と、バッテリ１０９を充電する充電手段である充電器１１０及び発電機１１２と、非常用電源１２１と、を備えている。このため、停電などにより、常用電源１２０が使用不能となった場合でも防災設備１００の防災機能が失われない。
【００６５】
また、防災設備１００においては、バッテリ１０９の充電手段として、空調用ダクト内を流動する空気流によって発電する風力式の発電機１１２がダンパ１０１に設けられているので、防災設備１００を稼働させるために必要な、常用電源１２０からの電気使用量を削減することができる。
【００６６】
次に、図７〜図１０に基づいて、その他の実施形態である防災設備２００，３００，４００，５００について説明する。なお、図７〜図１０に示す防災設備２００，３００，４００，５００において、前述した防災設備１００を構成する部分と共通する部分については図１〜図６中の符号と同符号を付して説明を省略する。
【００６７】
図７に示す防災設備２００は、火災発生時の熱により空調用ダクト内の温度が設定値まで上昇すると、それを感知して開閉器１０４の羽根閉鎖機能を作動させる感熱アクチュエータのひとつである半田ヒューズ２０１がダンパ１０１に設けられている。火災発生時の熱により空調用ダクト内の温度が設定値に達すると半田ヒューズ２０１が溶断してロック機構１１３が解除されるので、ダンパ１０１の羽根１０２が閉鎖される。また、半田ヒューズ２０１が溶断したときにリミットスイッチ２０２が作動し、制御部１０５から通信ユニット１３０の送受信部１３１を介して、「閉鎖表示信号」が防災盤１５０へ無線送信され、防災盤１５０上に設けられた「作動表示灯」（図示せず）が点灯する。
【００６８】
閉鎖状態にある羽根１０２を全開状態に復帰させる作業は手動操作若しくはモータ１０７によって行うことができる。モータ１０７を使用する場合は、防災盤１５０から通信ユニット１３０を介して制御部１０５へ「復帰信号」を無線送信することによってモータ１０７を作動させ、羽根１０２を全開状態に復帰させることができる。
【００６９】
防災設備２００の場合、火災発生によって作動すると（羽根１０２が閉鎖されると）、溶断した半田ヒューズ２０１を新たな半田ヒューズ２０１と交換する必要がある。また、防災設備２００の点検を行う場合、防災盤１５０や検査ツール１４０からの遠隔操作による「作動復帰」は可能であるが、半田ヒューズ２０１の状態は目視確認する必要がある。
【００７０】
次に、図８に示す防災設備３００は、火災発生時の熱により空調用ダクト内の温度が設定値まで上昇すると、それを感知して開閉器１０４の羽根閉鎖機能を作動させる感熱アクチュエータのひとつである形状記憶合金ヒューズ（ＳＭＡヒューズ）３０１がダンパ１０１に設けられている。火災発生時の熱により空調用ダクト内の温度が設定値に達するとＳＭＡヒューズ３０１が作動してロック機構１１３が解除されるので、ダンパ１０１の羽根１０２が閉鎖される。また、ＳＭＡヒューズ３０１が作動したときリミットスイッチ３０２が作動し、制御部１０５から通信ユニット１３０の送受信部１３１を介して、「閉鎖表示信号」が防災盤１５０へ無線送信され、防災盤１５０上に設けられた「作動表示灯」（図示せず）が点灯する。
【００７１】
防災設備３００の点検を行う場合は、検査ツール１４０や防災盤１５０から通信ユニット１３０の送受信部１３１を介して制御部１０５へ「点検信号」を送信することによってヒータ１０８を発熱させてＳＭＡヒューズ３０１の感熱部を加熱する。ヒータ１０８の加熱によりＳＭＡヒューズ３０１が設定値まで温度上昇すると、ＳＭＡヒューズ３０１が作動してロック機構１１３が解除されるので、ダンパ１０１の羽根１０２が閉鎖される。ダンパ１０１の羽根１０２が閉鎖したことは、防災盤１５０や検査ツール１４０において目視確認することができる。なお、ヒータ１０８は特に限定しないが、例えば、電熱線や温風発生機などを使用することができる。
【００７２】
次に、図９に示す防災設備４００はダンパ１０１の羽根１０２の開閉機構４０１としてステッピングモータ４０２を備えている。火災発生時の熱により空調用ダクト内の温度が設定値まで上昇すると、温度センサ１０６がそれを感知して「羽根閉鎖信号」が制御部１０５へ送信され、制御部１０５からバッテリ１０９へ「作動信号」が送信される。「作動信号」を受信したバッテリ１０９はステッピングモータ４０２へ作動電圧を供給し、ステッピングモータ４０２が速やかに回転してダンパ１０１の羽根１０２が閉鎖される。
【００７３】
温度センサ１０６から制御部１０５へ「羽根閉鎖信号」が送信されたとき、制御部１０５から、通信ユニット１３０の送受信部１３１を介して防災盤１５０へ「閉鎖表示信号」が無線送信され、防災盤１５０上に設けられた「作動表示灯」（図示せず）が点灯する。
【００７４】
また、防災盤１５０から通信ユニット１３０に対して「復帰信号」を無線送信すると、通信ユニット１３０の送受信部１３１を介して制御部１０５へ「復帰信号」が送信され、ステッピングモータ４０２が前述と逆方向に回転してダンパ１０１の羽根１０２が全開状態に復帰する。
【００７５】
防災設備４００の点検を行う場合は、検査ツール１４０や防災盤１５０から通信ユニット１３０の送受信部１３１を介して制御部１０５へ「点検信号」を送信すると、ステッピングモータ４０２が回転してダンパ１０１の羽根１０２が閉鎖される。ダンパ１０１の羽根１０２が閉鎖したことは、防災盤１５０や検査ツール１４０において目視確認することができる。
【００７６】
防災設備４００は、羽根１０２の開閉機構４０１としてステッピングモータ４０２を使用しているので、図１などに示す、ヒューズピンを使用したロック機構１１３が不要である。
【００７７】
次に、図１０に示す防災設備５００は、既設の防火防煙ダンパ（ＳＦＤ）１０に後付ユニット２０を取り付けることによって構築されている。後付ユニット２０は、常用電源１２０によって充電可能なバッテリ１０９と、防災盤１５０との間で信号を無線送受信可能な送受信部１３１と、リミットスイッチ２０２と、空調用ダクト内の温度を検知するための温度センサ１０６ａと、を備えている。温度センサ１０６ａはダンパ１０１内に設けているが、これに限定しないので、ダンパ１０１が設置される系統の空調用ダクト内のダンパ１０１の近傍に温度センサ１０６ａを設けることもできる。
【００７８】
後付ユニット２０はＳＦＤ１０の近傍に設置され、ＳＦＤ１０に設けられている端子台１１と後付ユニット２０の送受信部１３１とが電気配線で接続され、ヒューズ２０１とロック機構１１３との間の電気配線に、後付ユニット２０のリミットスイッチ２０２からの電気配線が接続されている。また、温度センサ１０６ａと、後付けユニット２０の送受信部１３１と、が電気配線で接続されている。
【００７９】
図１０に示す防災設備５００は、火災発生時の熱により空調用ダクト内の温度が設定値まで上昇すると、半田ヒューズ２０１が溶断してロック機構１１３が解除されるので、ダンパ１０１の羽根１０２が閉鎖される。また、ハンダヒューズ２０１が溶断したときにリミットスイッチ２０２が作動し、制御部１０５から端子台１１及び送受信部１３１を介して、「閉鎖表示信号」が防災盤１５０へ送信され、防災盤１５０上に設けられた「作動表示灯」（図示せず）が点灯する。
【００８０】
一方、空調用ダクト内の温度が予め設定された所定温度以上となった状態が所定時間経過したことを温度センサ１０６ａが検知した場合、火災発生と見做し、後付けユニット２０からＳＦＤ１０に作動信号を送信するようになっている。このルートでＳＦＤ１０を作動させた場合も、送受信部１３１から防災盤１５０に向けて作動信号が送信されるようになっている。なお、前記所定温度は、例えば、半田ヒューズ２０１の作動温度（一般の空調用ダクトでは７２℃）以上を設定し、前記所定時間は、例えば、１分間以上の時間をプログラム上で設定することができる。
【００８１】
閉鎖状態にある羽根１０２を全開状態に復帰させる作業は手動操作若しくはモータ１０７によって行うことができる。モータ１０７を使用する場合は、防災盤１５０から送受信部１３１及び端子台１１を介して制御部１０５へ「復帰信号」を送信することによってモータ１０７を作動させ、羽根１０２を全開状態に復帰させることができる。
【００８２】
防災設備５００の場合、火災発生によって作動すると（羽根１０２が閉鎖されると）、溶断した半田ヒューズ２０１を新たな半田ヒューズ２０１と交換する必要がある。また、防災設備５００の点検を行う場合、防災盤１５０からの遠隔操作による「作動復帰」は可能であるが、半田ヒューズ２０１の状態は目視確認する必要がある。
【００８３】
防災設備５００は、既設のＳＦＤ１０の近傍に後付ユニット２０を設置し、ＳＦＤ１０との間に所定の電気配線を行うことによって構築することができるので、設置工事は容易である。また、既設のＳＦＤ１０のみの場合には必要としていた点検作業の負担も軽減することができる。なお、ＳＦＤ１０側の半田ヒューズ２０１は必須ではないので、後付けユニット２０は、ヒューズなしの既設のＳＤ（防煙ダンパ）に対しても適用することができる。ヒューズなしのＳＤ（防煙ダンパ）に適用した場合は、ヒューズ交換が不要であるため、作動後の遠隔復帰が可能である。一方、ＳＦＤ１０に適用した場合においても、作動後の半田ヒューズ２０１を交換すれば、作動後の遠隔復帰は可能である。
【００８４】
また、一般のＳＦＤ１０において、半田ヒューズ２０１が作動していない状態でも、防災盤１５０からのルートにて電気的に作動させることができる。このように、半田ヒューズ２０１、温度センサ１０６ａのいずれかによってダンパ１０１を作動させることができるので、火災発生時に確実にＳＦＤ１０を作動させることができる。さらに、後付けユニット２０は必ずしもダンパ１０１と１対１の関係で設ける必要もなく、ダンパ１０１の系統ごとに、１台の後付けユニット２０１に対し、ダンパ１０１を複数台接続することも可能である。
【００８５】
なお、図１〜図１０に基づいて説明した防災設備１００，２００，３００，４００，５００は本発明の防災設備を例示するものであり、本発明の防災設備は前述した防災設備１００，２００，３００，４００，５００に限定されない。
【産業上の利用可能性】
【００８６】
本発明の防災設備は、各種建築物において火災被害拡大防止のために設置される防災手段の一つとして建設業の分野などにおいて広く利用することができる。
【符号の説明】
【００８７】
１０  防火防煙ダンパ（ＳＦＤ）
１１  端子台
２０  後付ユニット
１００，２００，３００，４００，５００  防災設備
１０１，１０１ａ  ダンパ
１０２  羽根
１０３  駆動部
１０４，１０４ａ  開閉器
１０５  制御部
１０６，１０６ａ  温度センサ
１０７  モータ
１０８  ヒータ
１０９  バッテリ
１１０  充電器
１１１  ソレノイド
１１２  発電機
１１３  ロック機構
１２０  常用電源
１２１  非常用電源
１３０  通信ユニット
１３１  送受信部
１４０  検査ツール
１５０  防災盤
１５１  煙感知器
２０１  半田ヒューズ
２０２，３０２  リミットスイッチ
３０１  形状記憶合金ヒューズ（ＳＭＡヒューズ）
４０１  開閉機構
４０２  ステッピングモータ
【図１】
0006495039.tif 000002
【図２】
0006495039.tif 000003
【図３】
0006495039.tif 000004
【図４】
0006495039.tif 000005
【図５】
0006495039.tif 000006
【図６】
0006495039.tif 000007
【図７】
0006495039.tif 000008
【図８】
0006495039.tif 000009
【図９】
0006495039.tif 000010
【図１０】
0006495039.tif 000011
【図１１】
0006495039.tif 000012